(57)【要約】      （修正有）【課題】家具に座面や天板を取り付けるに際し、用途に応じて簡単に着脱および移動を可能とする。【解決手段】平面視円形状のベース台３とそのベース台３上に平面視扇型の椅子用の座体２やテーブルの天板８を設置するにあたり、ベース台３に貫通孔３１を設けて、座体２や天板８の下方には、それぞれ凸片２１、２２、８１、８２を設けてなり、該凸片２１、２２、８１、８２をそれぞれを貫通孔３１と嵌合させ、或いは貫通孔３１とベース台３の外周面部に嵌合させて構成した。【選択図】        図３
2004305585.tif 000002
【特許請求の範囲】
【請求項１】
平面視円形状のベース台と、そのベース台上に設置される平面視扇型の座体または天板の取付構造であって、
前記ベース台には、貫通孔または凹孔若しくは平面視環状の凹溝を設け、
前記座体または天板の下方に少なくとも一つの凸片を設けてなり、
該凸片を、前記貫通孔または凹孔若しくは凹溝のみと嵌合させ、或いは前記貫通孔または凹孔若しくは凹溝と前記ベース台の外周面部に嵌合させたことを特徴とする家具の座体または天板の取付構造。
【請求項２】
請求項１において、前記ベース台は平面視ドーナツ型であることを特徴とする家具の座体または天板の取付構造。
【請求項３】
請求項１乃至請求項２において、前記座体の一部に肘掛を一体的に形成したことを特徴とする家具の座体または天板の取付構造。
【発明の詳細な説明】
【０００１】
【発明の属する技術分野】
本発明は、平面視円形状の椅子及びテーブル等の家具に座面や天板を取り付けるに際し、用途に応じて簡単に着脱及び移動を可能とする取付構造に関するものである。
【０００２】
【従来の技術】
従来より、椅子に座体を取り付ける構造は、直線状に配置されたベース台上に、下面に凹部を形成した座体を固定手段を介し該凹部をベース台を嵌合させて固定した例がある（特許文献１参照）。
【０００３】
しかし、これらの座体は、固定手段としてスライダと固定部材と共にねじ部材にて固定している為、構造が複雑で製造コストが嵩み、またメンテナンスや着脱する際に作業が煩雑になるという問題があった。更にこれらの座体は、直線状のベース台に設置される為、必然的に端部のものが存在し、その固定手段は強固なものにするか、若しくはその端部にストッパー等を設ける必要があった。
【０００４】
【特許文献１】特開２００１−８７７１号公報
【発明が解決しようとする課題】
そこで、本発明が前述の状況に鑑み、解決しようとするところは、家具に座面や天板を取り付けるに際し、用途に応じて簡単に着脱および移動を可能とすることを目的としている。
【０００５】
【課題を解決するための手段】
本発明は、前述の課題解決のために、平面視円形状のベース台と、そのベース台上に設置される平面視扇型の座体または天板の取付構造として、前記ベース台には、貫通孔または凹孔若しくは平面視環状の凹溝を設けて、前記座体または天板の下方に少なくとも一つの凸片を設けてなり、該凸片を、前記貫通孔または凹孔若しくは凹溝のみと嵌合させ、或いは前記貫通孔または凹孔若しくは凹溝と前記ベース台の外周面部に嵌合させて構成した。
【０００６】
更に前記ベース台は、平面視ドーナツ型であることが好ましい。
【０００７】
更に具合的には、前記座体の一部に肘掛を一体的に形成したことが好ましい。
【０００８】
【発明の実施の形態】
次に本発明の実施の形態を添付図面に基づき更に詳細に説明する。図１は家具の本体へ椅子の座体を取り付けた状態を示し、図２は椅子の座体の取付構造を示し、図３は要部のの一部断面図を示し、図４はテーブル天板や椅子の肘掛を取り付けた状態を示している。また、図中の符号１は家具本体、２は椅子の座体、３はベース台、４は脚体、５は支柱、６は支柱連結部材、７は椅子の肘掛付座体、８はテーブルの天板をそれぞれ示している。
【０００９】
まず家具の本体１は、図１〜図４に示すように、平面視円形状のベース台３とそのベース台３上に平面視扇型の椅子用の座体２やテーブルの天板８を設置するにあたり、ベース台３の中心部に貫通孔３１を設けて、座体２や天板８の下方には、それぞれ凸片２１、２２、８１、８２を設けてなり、該凸片２１、２２、８１、８２をそれぞれを貫通孔３１とベース台３の外周面部３２に嵌合させている。ここで、ベース台３の貫通孔３１の代わりに図示しないが凹孔や平面視環状の凹溝を設けてもよい。これら凹孔や凹溝は、貫通孔３１と同様にベース台３の中心部に設けてもよいが、必要に応じて適宜部分に単数または複数個設けてもよい。
【００１０】
更に、ベース台３を平面視でドーナツ型とすると、家具本体１に座体２や天板８を設置後に自在にその中心部の貫通孔３１や外周面部３２に沿って水平回転方向に移動することができる。
【００１１】
更に、座体７の一部に肘掛７１を一体的に形成すると、簡単な構造でベース台３に座体７と肘掛７１を一緒に取り付けることができると共に移設することができる。
【００１２】
次に具体的には、家具本体１は、公共施設やオフィスの室内等の床上に設置され、図１、図３に示すように中心部に支柱５を立設し、その支柱５の上端部には、他の家具本体の支柱（図示せず）と連結するための支柱連結部材６を連結固定している。そして、脚体４は、脚支柱４０とその脚支柱４０から水平方向に上下２箇所に設けた連結棒体４１、４２とその端部にブラケット４４を設けて、前記支柱５の側面にブラケット４４の係止部材（図示しないが、フックやねじ）により取り付けている。そして、脚体４の上側の連結棒体４１の上面には、ベース台３を載置し固定する為の載置板４３を一体的に設けている。この実施例のベース台３は、図２に示すようにドーナツ型であって直線部３１にて２分割され、支柱５に脚体４を取り付けた後に、その支柱５を貫通孔３１を形成するように挟み込んで取り付けられる。最後にそのベース台３に椅子用の座体２やテーブルの天板８を後述するように取り付けて家具本体１を構成している。
【００１３】
次に、椅子の座体２やテーブルの天板８の取付構造について、以下に詳述する。
【００１４】
まず椅子の座体２は、平面視扇形でクッション性のある材料により形成し、下面に前記ベース台３の貫通孔３１にのみに嵌合する位置に凸片２１を設けるか、或いは貫通孔３１とベース台３の外周面部３２に嵌合する位置にそれぞれ凸片２１、２２設ける。この内、凸片２１は、貫通孔３１の内壁面３１ａに係合するように設けているが、前述した貫通孔３１の代わりに凹孔とした場合は、その内壁面に係合し（図示せず）、凹溝の場合はその凹溝内に嵌合するように設ければよい（図示せず）。この貫通孔３１、凹孔や凹溝を複数設けた場合には、その全てまたは一部に凸片２１が嵌合するようにする。この貫通孔３１、凹孔や凹溝は、図２に示すようにベース台３中心部に設けるほか、その中心部以外の位置に設けてもよい。
【００１５】
このように座体２を平面視扇型であって、その下面に凸片２１、２２を形成すれば、ベース台３の貫通孔３１の内壁面３１ａと外周面部３２に沿って円を描くように移動（水平回転）さすことができる。更に座体２を扇型としたので円を描くように移動する以外（例えば、使用者が着座時に座体２を直線的に摩るように移動するなど）は、座体２が横移動することはない。
【００１６】
次にテーブルの天板８は、図２に示すように略前記座体２と同様に凸片８１、８２形成し、その上方に天板本体８３を天板支柱８５にて支持するように構成している。尚、天板本体８３の高さは、平均的体系の使用者が座体２に着座した場合を想定し、その肘の高さ位置より少し上方に位置するように設定している。ここで図中の天板８は、凸片８１、８２と天板本体８３と天板支柱８５にて別体構成としたが、座面２と略同一の一体構成とし、天板上面を水平面とし、ベース台３の高さを通常のテーブル高さとして構成してもよい。
【００１７】
このように天板８は、略略前記座体２と同様に凸片８１、８２を形成したので、使用者が非用意に天板本体側面部８４に当たった場合であっても、椅子の座体２と同様横移動することはない。
【００１８】
また、図４に示すように、座体７は、座面７３と肘掛７４を一体的に形成している。この場合に肘掛７４は、硬質の材料で座面７３を軟質の材料とする２色成形をするとよい。また、使用者が肘掛７４に不用意に当たり、座体７が上方へ抜けるのを防止するために、凸片７２とベース台３の下面に固定手段（図示せず）を設けてもよい。更に、図４に示すように肘掛付座体７に隣接するように座体２を設置すれば抜け防止効果が向上する。尚、この固定手段は座体２や天板８に設けてもよい。
【００１９】
【発明の効果】
以上にしてなる請求項１に係る発明の家具の座体または天板の取付構造は、平面視円形状のベース台と、そのベース台上に設置される平面視扇型の座体または天板の取付構造であって、前記ベース台には、貫通孔または凹孔若しくは平面視環状の凹溝を設け、前記座体または天板の下方に少なくとも一つの凸片を設けてなり、該凸片を、前記貫通孔または凹孔若しくは凹溝のみと嵌合させ、或いは前記貫通孔または凹孔若しくは凹溝と前記ベース台の外周面部に嵌合させてなるので、家具に座面や天板を取り付けるに際し、用途に応じて簡単に着脱および移動を可能とするできる。
【００２０】
請求項２によれば、請求項１において、前記ベース台は平面視ドーナツ型としてなるので、ベース台３の貫通孔３１の内壁面３１ａと外周面部３２に沿って円を描くように移動さすことができる。このように座体２を扇型とし、ベース台を平面視ドーナツ型としたので円を描くように移動する以外（例えば、使用者の着座時に座体２を直線的に摩るように移動するなど）は、座体２が横移動することはない。
【００２１】
請求項３によれば、請求項１乃至請求項２において、前記座体の一部に肘掛を一体的に形成してなるので、簡単な構造でベース台３に座体７と肘掛７１を一緒に取り付けることができると共に移設することができる。
【図面の簡単な説明】
【図１】本発明の実施例を示す全体斜視図である。
【図２】本発明の一部分解斜視図である。
【図３】本発明の一部断面図である。
【図４】本発明の他の実施例を示す全体斜視図である。
【符号の説明】
１  家具本体
２  座体
３  ベース台
４  脚体
５  支柱
６  支柱連結材
７  肘掛付椅子付
８  天板
【図１】
2004305585.tif 000003
【図２】
2004305585.tif 000004
【図３】
2004305585.tif 000005
【図４】
2004305585.tif 000006